(57)【特許請求の範囲】
【請求項１】
温風を生成するための暖房用熱交換器と、温水を生成するためのミスト用熱交換器と、前記暖房用熱交換器及び前記ミスト用熱交換器に加温用温水を送給するための温水送給流路と、前記暖房用熱交換器及び前記ミスト用熱交換器からの温水を戻すための温水戻り流路と、前記暖房用熱交換器の流入部と前記温水送給流路とを接続する暖房流入流路と、前記暖房用熱交換器の流出部と前記温水戻り流路とを接続する暖房流出流路と、前記ミスト用熱交換器の第１流入部と前記温水送給流路とを接続する加熱流入流路と、前記ミスト用熱交換器の第１流出部と前記温水戻り流路とを接続する加熱流出流路と、前記ミスト用熱交換器の第２流入部に接続されたミスト流入流路と、前記ミスト用熱交換器の第２流出部に接続されたミスト流出流路と、前記ミスト流出流路の下流側端部に接続されたミスト噴霧器と、前記ミスト流出流路と前記暖房流入流路とを接続する流入接続流路と、前記ミスト流出流路と前記暖房流出流路とを接続する流出接続流路と、前記流入接続流路と前記ミスト流出流路との接続部に配設された第１流路切換弁と、前記流入接続流路と前記暖房流入流路との接続部に配設された第２流路切換弁と、前記暖房流出流路と前記流出接続流路との接続部に配設された第３流路切換弁と、を備え、
温水生成器として温水を生成して循環する循環式熱源機と温水を生成して送給する給湯器とが選択的に用いられ、前記循環式熱源機を用いた場合、前記循環式熱源機の温水供給部が前記温水送給流路に接続され、その温水戻り部が前記温水戻り流路に接続され、また前記給湯器を用いた場合、前記給湯器の温水供給部が前記ミスト流入流路に接続されることを特徴とするミストサウナ機能付き浴室暖房機。
【請求項２】
前記循環式熱源機を用いた場合におけるミストサウナ運転においては、前記第１流路切換弁は前記ミスト流出流路を流れる温水を下流側に前記ミスト噴霧器に送給し、前記第２流路切換弁は前記温水送給流路を流れる加温用温水を前記暖房用熱交換器の前記流入部に送給し、前記第３流路切換弁は前記暖房用熱交換器からの温水を前記温水戻り流路に送給し、また前記給湯器を用いた場合におけるミストサウナ運転においては、前記第１流路切換弁は前記ミスト流出流路を流れる温水を前記流入接続流路に送給し、前記第２流路切換弁は前記流入接続流路を流れる温水を前記暖房用熱交換器の前記流入部に送給し、前記第３流路切換弁は前記暖房用熱交換器からの温水を前記流出接続流路に送給することを特徴とする請求項１に記載のミストサウナ機能付き浴室暖房機。
【請求項３】
前記ミスト流出流路と前記流出接続流路との接続部に第４流路切換弁が配設され、前記循環式熱源機を用いる場合におけるミストサウナ運転においては、前記第４流路切換弁は前記ミスト流出流路を流れる温水を下流側に前記ミスト噴霧器に送給し、前記給湯器を用いた場合におけるミストサウナ運転においては、前記第４流路切換弁は前記流出接続流路を流れる温水を前記ミスト噴霧器に送給することを特徴とする請求項１又は２に記載のミストサウナ機能付き浴室暖房機。
【請求項４】
前記ミストサウナ運転に加えて涼風運転が可能であり、前記ミストサウナ運転においては、前記暖房用熱交換器において温風が生成され、前記ミスト噴霧器においてミストが生成され、また前記涼風運転においては、前記暖房用熱交換器において涼風が生成されることを特徴とする請求項１〜３のいずれかに記載のミストサウナ機能付き浴室暖房機。
【請求項５】
前記ミストサウナ運転及び前記前記涼風運転が可能であることに関連して、前記ミスト流出流路に排水流路が接続され、前記排水流路に排水弁が配設されているとともに、前記ミスト流出流路における、前記排水流路との接続部と前記ミスト噴霧器との間の部位にミスト弁が配設されており、前記循環式熱源機を用いたミストサウナ運転においては、前記第１流路切換弁は前記ミスト流出流路を流れる温水を下流側に前記ミスト噴霧器に送給し、前記第２流路切換弁は前記温水送給流路を流れる加温用温水を前記暖房用熱交換器の前記流入部に送給し、前記第３流路切換弁は前記暖房用熱交換器からの温水を前記温水戻り流路に送給し、前記ミスト弁が開状態に保持され、また前記循環式熱源機を用いた場合における涼風運転においては、前記第１流路切換弁は前記ミスト流出流路を流れる水を前記流入接続流路に送給し、前記第２流路切換弁は前記流入接続流路を流れる水を前記暖房用熱交換器の前記流入部に送給し、前記第３流路切換弁は前記暖房用熱交換器からの水を前記流出接続流路に送給し、前記ミスト弁が閉状態に保持され、前記排水弁が開状態に保持されることを特徴とする請求項４に記載のミストサウナ機能付き浴室暖房機。
【発明の詳細な説明】
【技術分野】
【０００１】
本発明は、浴室にミストを噴霧してサウナ効果を得るミストサウナ機能付き浴室暖房機に関する。
【背景技術】
【０００２】
ミストサウナ機能を備えた浴室暖房機として、暖房用温風を生成するための温風用熱交換機と、ミスト用温水を生成するためのミスト用熱交換機と、温風用熱交換への温水の送給を制御する温風用制御弁と、ミスト用熱交換機への温水の送給を制御するミスト用制御弁と、ミストを噴霧するミスト噴霧器と、を備えたものが知られている（例えば、特許文献１参照）。このような浴室暖房機では、温水を生成するための温水生成器として循環式熱源機が用いられ、この熱源機からの温水が温風用制御弁を通して温風用熱交換機に送給され、温風用熱交換機にて空気との間で熱交換された温水が熱源機に戻され、また熱源機からの温水はミスト用制御弁を通してミスト用熱交換機に送給され、ミスト用熱交換機にて水との間で熱交換された温水が熱源機に戻される。
【０００３】
また、ミストサウナ機能を備えた給湯装置として、温水生成器としての給湯器と、ミストを噴霧するミスト噴霧器と、ミスト噴霧器への温水の送給を制御するミスト制御弁と、を備えたものが知られている（例えば、特許文献２参照）。このような給湯装置では、給湯器からの温水がミスト制御弁を通してミスト噴霧器に送給される。
【０００４】
【特許文献１】特開２００５−２４１２２３号公報
【特許文献２】特開２００６−２７５３３８号公報
【発明の開示】
【発明が解決しようとする課題】
【０００５】
しかしながら、上述した浴室暖房装置では、温水生成器として循環式熱源機しか適用することができず、従来の既設の給湯器にこのようなミストサウナ機能付き浴室暖房機を適用することができず、従来の既設の給湯器に適用する場合、上述したミストサウナ機能付き給湯装置のような構成になる。ところが、このミストサウナ機能付き給湯装置では、ミスト噴霧器からミストを噴霧して浴室内を所望温度の高湿度状態を保つことができるが、暖房機能がないために、浴室内に充満したミストの温度が冷め易いという問題がある。
【０００６】
本発明の目的は、温水生成器として循環式熱源機及び給湯器を選択的に適用することができ、従って既設の給湯器にも適用することができるミストサウナ機能付き浴室暖房機を提供することである。
【課題を解決するための手段】
【０００７】
本発明の請求項１に記載のミストサウナ機能付き浴室暖房機は、温風を生成するための暖房用熱交換器と、温水を生成するためのミスト用熱交換器と、前記暖房用熱交換器及び前記ミスト用熱交換器に加温用温水を送給するための温水送給流路と、前記暖房用熱交換器及び前記ミスト用熱交換器からの温水を戻すための温水戻り流路と、前記暖房用熱交換器の流入部と前記温水送給流路とを接続する暖房流入流路と、前記暖房用熱交換器の流出部と前記温水戻り流路とを接続する暖房流出流路と、前記ミスト用熱交換器の第１流入部と前記温水送給流路とを接続する加熱流入流路と、前記ミスト用熱交換器の第１流出部と前記温水戻り流路とを接続する加熱流出流路と、前記ミスト用熱交換器の第２流入部に接続されたミスト流入流路と、前記ミスト用熱交換器の第２流出部に接続されたミスト流出流路と、前記ミスト流出流路の下流側端部に接続されたミスト噴霧器と、前記ミスト流出流路と前記暖房流入流路とを接続する流入接続流路と、前記ミスト流出流路と前記暖房流出流路とを接続する流出接続流路と、前記流入接続流路と前記ミスト流出流路との接続部に配設された第１流路切換弁と、前記流入接続流路と前記暖房流入流路との接続部に配設された第２流路切換弁と、前記暖房流出流路と前記流出接続流路との接続部に配設された第３流路切換弁と、を備え、
温水生成器として温水を生成して循環する循環式熱源機と温水を生成して送給する給湯器とが選択的に用いられ、前記循環式熱源機を用いた場合、前記循環式熱源機の温水供給部が前記温水送給流路に接続され、その温水戻り部が前記温水戻り流路に接続され、また前記給湯器を用いた場合、前記給湯器の温水供給部が前記ミスト流入流路に接続されることを特徴とする。
【０００８】
また、本発明の請求項２に記載のミストサウナ機能付き浴室暖房機では、前記循環式熱源機を用いた場合におけるミストサウナ運転においては、前記第１流路切換弁は前記ミスト流出流路を流れる温水を下流側に前記ミスト噴霧器に送給し、前記第２流路切換弁は前記温水送給流路を流れる加温用温水を前記暖房用熱交換器の前記流入部に送給し、前記第３流路切換弁は前記暖房用熱交換器からの温水を前記温水戻り流路に送給し、また前記給湯器を用いた場合におけるミストサウナ運転においては、前記第１流路切換弁は前記ミスト流出流路を流れる温水を前記流入接続流路に送給し、前記第２流路切換弁は前記流入接続流路を流れる温水を前記暖房用熱交換器の前記流入部に送給し、前記第３流路切換弁は前記暖房用熱交換器からの温水を前記流出接続流路に送給することを特徴とする。
【０００９】
また、本発明の請求項３に記載のミストサウナ機能付き浴室暖房機では、前記ミスト流出流路と前記流出接続流路との接続部に第４流路切換弁が配設され、前記循環式熱源機を用いる場合におけるミストサウナ運転においては、前記第４流路切換弁は前記ミスト流出流路を流れる温水を下流側に前記ミスト噴霧器に送給し、前記給湯器を用いた場合におけるミストサウナ運転においては、前記第４流路切換弁は前記流出接続流路を流れる温水を前記ミスト噴霧器に送給することを特徴とする。
【００１０】
また、本発明の請求項４に記載のミストサウナ機能付き浴室暖房機では、前記ミストサウナ運転に加えて涼風運転が可能であり、前記ミストサウナ運転においては、前記暖房用熱交換器において温風が生成され、前記ミスト噴霧器においてミストが生成され、また前記涼風運転においては、前記暖房用熱交換器において涼風が生成されることを特徴とする。
【００１１】
更に、本発明の請求項５に記載のミストサウナ機能付き浴室暖房機では、前記ミストサウナ運転及び前記前記涼風運転が可能であることに関連して、前記ミスト流出流路に排水流路が接続され、前記排水流路に排水弁が配設されているとともに、前記ミスト流出流路における、前記排水流路との接続部と前記ミスト噴霧器との間の部位にミスト弁が配設されており、前記循環式熱源機を用いたミストサウナ運転においては、前記第１流路切換弁は前記ミスト流出流路を流れる温水を下流側に前記ミスト噴霧器に送給し、前記第２流路切換弁は前記温水送給流路を流れる加温用温水を前記暖房用熱交換器の前記流入部に送給し、前記第３流路切換弁は前記暖房用熱交換器からの温水を前記温水戻り流路に送給し、前記ミスト弁が開状態に保持され、また前記循環式熱源機を用いた場合における涼風運転においては、前記第１流路切換弁は前記ミスト流出流路を流れる水を前記流入接続流路に送給し、前記第２流路切換弁は前記流入接続流路を流れる水を前記暖房用熱交換器の前記流入部に送給し、前記第３流路切換弁は前記暖房用熱交換器からの水を前記流出接続流路に送給し、前記ミスト弁が閉状態に保持され、前記排水弁が開状態に保持されることを特徴とする。
【発明の効果】
【００１２】
本発明の請求項１に記載のミストサウナ機能付き浴室暖房機によれば、温風を生成するための暖房用熱交換器と、温水を生成するためのミスト用熱交換器と、暖房用熱交換器及びミスト用熱交換器に加温用温水を送給するための温水送給流路と、暖房用熱交換器及びミスト用熱交換器からの温水を戻すための温水戻り流路と、ミスト用熱交換器の流入部に接続されたミスト流入流路と、ミスト用熱交換器の流出部に接続されたミスト流出流路と、ミスト流出流路の下流側端部に接続されたミスト噴霧器とを備え、温水生成器として温水を生成して循環する循環式熱源機と温水を生成して送給する給湯器とが選択的に用いられる。そして、循環式熱源機を用いた場合、循環式熱源機の温水供給部が温水送給流路に接続されるので、循環式熱源機からの温水が暖房用熱交換器及びミスト用熱源機に送給され、暖房用熱交換器における熱交換によって空気を加温して浴室を暖めることができるとともに、ミスト用熱交換器における熱交換によって水を温めてミスト噴霧器から噴霧してミストサウナ効果を得ることができる。また、給湯器を用いた場合、給湯器の温水供給部がミスト流入流路に送給されるので、給湯器からの温水がミスト噴霧器に送給されて噴霧され、ミストサウナ効果を得ることができる。尚、本願明細書の文言「浴室暖房器」は、浴室を暖房する浴室暖房機能を有する通常の浴室暖房機と、この浴室暖房機能に加えて浴室を乾燥させる浴室乾燥機能を有する浴室暖房乾燥機とを含む概念で使用している。
【００１３】
また、本発明の請求項２に記載のミストサウナ機能付き浴室暖房機によれば、循環式熱源機を用いた場合におけるミストサウナ運転においては、第１〜第３流路切換弁が第１の制御状態に保持されるので、第１流路切換弁はミスト流出流路を流れる温水をミスト噴霧器に送給し、第２流路切換弁は温水送給流路を流れる加温用温水を暖房用熱交換器の流入部に送給し、第３流路切換弁は暖房用熱交換器からの温水を温水戻り流路に送給し、これによって、暖房用熱交換器によって空気を加温して浴室を暖めることができるとともに、ミスト用熱交換器によって水を温めてミスト噴霧器から噴霧させることができる。また、給湯器を用いた場合におけるミストサウナ運転においては、第１〜第３流路切換弁が第２の制御状態に保持されるので、第１流路切換弁はミスト流出流路を流れる温水を流入接続流路に送給し、第２流路切換弁は流入接続流路を流れる温水を暖房用熱交換器の流入部に送給し、第３流路切換弁は暖房用熱交換器からの温水を流出接続流路に送給し、これによって、給湯器からの温水を利用して暖房用熱交換器によって空気を加温して浴室を暖めることができるとともに、暖房用熱交換器を通して流れた温水をミスト噴霧器に導いて浴室内に噴霧することができる。
【００１４】
また、本発明の請求項３に記載のミストサウナ機能付き浴室暖房機によれば、循環式熱源機を用いる場合におけるミストサウナ運転においては、第４流路切換弁はミスト流出流路を流れる温水をミスト噴霧器に送給するので、ミスト用熱交換器において温められた温水がミスト噴霧器により噴霧される。また、給湯器を用いた場合におけるミストサウナ運転においては、この第４流路切換弁は流出接続流路を流れる温水をミスト噴霧器に送給するので、暖房用熱交換器を通して流れた温水がミスト噴霧器により噴霧される。
【００１５】
また、本発明の請求項４に記載のミストサウナ機能付き浴室暖房機によれば、ミストサウナ運転においては、暖房用熱交換器において温風が生成され、ミスト噴霧器においてミストが生成され、また涼風運転においては、暖房用熱交換器において涼風が生成され、例えばミストサウナ後に涼風運転することによって、暖まった体を冷やしてさっぱり感を得ることができる。
【００１６】
更に、本発明の請求項５に記載のミストサウナ機能付き浴室暖房機によれば、ミスト流出流路に排水流路が配設され、この流出流路に排水弁が配設されているとともに、ミスト流出流路における、この排水流路との接続部とミスト噴霧器との間の部位にミスト弁が配設されている。そして、循環式熱源機を用いたミストサウナ運転においては、第１〜第３流路切換弁が第１の制御状態に、またミスト弁が開状態に保持されるので、ミスト用熱交換器からの温水がミスト噴霧器に送給されて噴霧され、また循環式熱源機を用いた場合における涼風運転においては、第１〜第３流路切換弁が第２の制御状態に、またミスト弁が閉状態に、排水弁が開状態に保持されるので、ミスト流入流路からの水が暖房用熱交換器に送給されて涼風が生成され、その後この水が排水流路を通して排水され、これによって、浴室内に涼風を送ることができる。
【発明を実施するための最良の形態】
【００１７】
以下、添付図面を参照して、図１は、本発明に従うミストサウナ機能付き浴室暖房機の一実施形態を示す簡略図であり、図２は、図１の浴室暖房機に循環式熱源機を接続した状態を示す図であり、図３は、図１の浴室暖房機に給湯器を接続した状態を示す図であり、図４は、図１の浴室暖房機の制御系を示すブロック図であり、図５は、図１の浴室暖房機の制御系を示すフローチャートである。
【００１８】
図１において、図示のミストサウナ機能付き浴室暖房機は、浴室に関連して設置される暖房機本体２と、温風を生成するための暖房用熱交換器４と、温水を生成するためのミスト用熱交換器６とを備え、暖房用熱交換器４及びミスト用熱交換器６がこの暖房機本体２内に内蔵され、暖房用熱交換器４に関連して、浴室内の空気を暖房用熱交換器４を通して浴室に流す循環ファン（図示せず）が設けられている。
【００１９】
この暖房機本体２には、温水送給流路８及び温水戻り流路１０が設けられている。温水送給流路８は温水を送給するためのもので、この温水送給流路８と暖房用熱交換器４の流入部１２とが暖房流入流路１４を介して接続され、温水戻り流路１０と暖房用熱交換器４の流出部１６とが暖房流出流路１８を介して接続されている。また、温水送給流路８とミスト用熱交換器６の第１流入部２０とが加熱送給流路２２を介して接続され、温水戻り流路１０とミスト用熱交換器６の第１流出部２４とが加熱流出流路２６を介して接続されている。更に、このミスト用熱交換器の第２流入部２８にはミスト流入流路３０が接続され、その第２流出部３２にはミスト流出流路３４が接続され、このミスト流出流路３４の下流端部にミスト噴霧器３６が接続されている。
【００２０】
この浴室暖房機においては、ミスト流出流路３４と暖房流入流路１４とが流入接続流路３８を介して接続され、ミスト流出流路３４（具体的には、暖房流入流路１４との接続部よりも下流側の部位）と暖房流出流路１８とが流出接続流路４０を介して接続されている。また、ミスト流出流路３４（具体的には、流出接続流路４０との接続部よりも下流側の部位）に排水流路４２が接続されている。
【００２１】
この浴室暖房機では、流入接続流路３８とミスト流出流路３４との接続部に第１流路切換弁４４が設けられ、流入接続流路３８と暖房流入流路１４との接続部に第２流路切換弁４６が設けられ、暖房流出流路１８と流出接続流路４０との接続部に第３流路切換弁４８が設けられ、また流出接続流路４０とミスト流出流路３４との接続部に第４流路切換弁５０が設けられている。更に、ミスト流入流路３０に給水弁５２が配設され、加熱流出流路２６にミスト制御弁５４が配設され、ミスト流出流路３４（具体的には、排水流路４２の接続部位よりも下流側の部位）にミスト弁５６が配設され、また排水流路４２に排水弁５８が配設されている。尚、ミスト制御弁５４は、加熱流出流路２６に設けることに代えて、加熱流入流路２２に設けるようにしてもよい。
【００２２】
第１〜第４流路切換弁４４，４６，４８，５０は、例えば三方弁から構成することができ、第１の制御状態においては、第１〜第４流路切換弁４４，４６，４８，５０は、図２に示す状態に切り換えられる。即ち。第１流路切換弁４４は、ミスト用熱交換機６の第２流出部３２からミスト流出流路３４を流れる温水を下流側にミスト噴霧器３６に送給し、第２流路切換弁４６は、暖房流入流路１４を流れる温水（加熱用温水）を暖房用熱交換機４の流入部１２に送給し、第３流路切換弁４８は、暖房用熱交換機４の流出部１６からの温水（加熱用温水）を温水戻り流路１０に送給し、第４流路切換弁５０は、ミスト流出流路３４を流れる温水を更に下流側にミスト噴霧器３６に送給する。また、第２の制御状態においては、図３に示すように、第１流路切換弁４４は、ミスト用熱交換機６からミスト流出流路３４を流れる温水を流入接続流路３８に送給し、第２流路切換弁４６は、流入接続流路３８からの温水（ミスト用温水）を暖房用熱交換機４の流入部１２に送給し、第３流路切換弁４８は、暖房用熱交換機４の流出部１６からの温水（ミスト用温水）を流出接続流路４０に送給し、第４流路切換弁５０は、流出接続流路４０を流れる温水をミスト噴霧器３６に送給する。尚、第４流路切換弁５０については、省略しても後述する如く温水を送給することができる。
【００２３】
この実施形態では、更に、温水送給流路８に第１温度センサ６０が配設され、ミスト流出流路３４に第２温度センサ６２が配設され、また暖房機本体２に第３温度センサ６４が配設され、第１温度センサ６０は温水送給流路８を流れる温水の温度を検知し、第２温度センサ６２はミスト流出流路３４を流れる温水の温度を検知し、第３温度センサ６４は、浴室内の温度を検知する。
【００２４】
この浴室暖房乾燥機では、温水を生成して送給する温水生成手段として循環式熱源機７２及び給湯器７３が選択的に適用される。循環式熱源機７２を適用する場合、図２に示すように接続される。循環式熱源機７２は、それ自体周知のものであり、燃焼バーナ７４、熱交換器７６、膨張タンク７８及び送給ポンプ８０を備え、燃焼バーナ７４の燃焼ガスを利用して熱交換器７６にて加熱された温水が温水供給流路８２を通して温水供給部８４に供給される。また温水戻り部８６に戻った温水は、温水戻し流路８８及び膨張タンク７８、温水戻し送給流路９０を通して熱交換器７６に送給され、温水供給流路８２と温水戻し流路８８とがバイパス流路９２を通して接続され、温水供給流路８２を流れる温水の一部がバイパス流路９２を通して温水戻り流路８８に送給される。尚、温水供給流路８２には、供給温水の温度を検知する往き温水検知センサ９４が配設され、温水戻り流路８８には、戻り温水の温度を検知する戻り温水検知センサ９６が配設されている。
【００２５】
この循環式熱源機７２を用いる場合、熱源機７２の温水供給部８４が供給接続流路９８を介して暖房機本体２の温水送給流路８に接続され、またその温水戻り部８６が戻り接続流路１００を介して暖房機本体２の温水戻り流路１０に接続され、供給接続流路９８には、温水の送給、送給停止を行うための開閉弁１０２が配設される。従って、開閉弁１０２が開状態になると、熱源機７２にて生成された温水は、供給接続流路９８を通して暖房機本体２の温水送給流路８に供給され、また暖房機本体２の温水戻り流路１０からの温水は戻り接続流路１００を通して熱源機７２に戻され、熱源機７２にて生成された温水は暖房機本体２（暖房用熱交換器４及びミスト用熱交換器６）を通して循環される。
【００２６】
また、給湯器７３を適用する場合、図３に示すように接続される。給湯器７３は、それ自体周知のものであり、燃焼バーナ１０４及び熱交換器１０６を備え、水道水の如き水が水供給流路１０８を通して熱交換器１０６に供給され、燃焼バーナ１０４の燃焼ガスを利用して熱交換器１０６にて加熱された温水が温水供給流路１１０を通して供給される。温水供給流路１１０には混合器１１２が配設され、この混合器１１２と水供給流路１０８とがバイパス流路１１４を介して接続され、温水供給流路１１０を流れる温水と水供給流路１０８からバイパス流路１１４を通して流れる水とが混合器１１２にて混合されて温水の温度が調整され、かかる温水が温水供給部１１４ａ，１１４ｂに送給される。尚、温水供給部１１４ａ，１１４ｂには、温水の供給、供給停止を行うための開閉弁１１６ａ，１１６ｂが配設されている。
【００２７】
この給湯器７３を用いる場合、給湯器７３の温水供給部１１４ａが供給接続流路１１８を介して暖房機本体２のミスト流入流路３０に接続される。従って、開閉弁１１６ａが開状態になると、給湯器７３にて生成された温水は、供給接続流路１１８を通して暖房機本体２のミスト流入流路３０に供給される。尚、給湯器７３の他の温水供給部１１４ｂは、例えば供給接続流路１２０を介してカラン１２２に接続される。
【００２８】
この浴室暖房器は、図４に示す制御系によって作動制御される。図４を参照して、浴室暖房器は制御を行うためのコントローラ１２４を備え、このコントローラ１２４は、作動制御手段１２６、温度比較手段１２８、温水生成器判定手段１３０、弁切換信号生成手段１３２，タイマ手段１３４及び記憶手段１３６を有している。作動制御手段１２６は温水生成器（循環式熱源機７２、給湯器７３）、ミスト制御弁５４、給水弁５２、第１〜第４流路切換弁４４，４６，４８，５０などを後述する如く作動制御し、温度比較手段１２０は、設定温度（例えば、４０℃程度に設定される）と第１温度センサ６０の検知温度とを比較し、温水生成器判定手段１３０は後述する如くして接続された温水生成器が循環式熱源機７２か給湯器７３を判定し、弁切換信号生成手段１３２は温水生成器判定手段１３０の判定結果に基づいて第１制御信号又は第２制御信号を生成する。タイマ手段１３４は時間を計時し、運転開始から判定を行うまでの設定時間（例えば、１分程度に設定される）を計時する。尚、上記設定温度及び上記設定温度は記憶手段１３６に記憶される。
【００２９】
このコントローラ１２４には、第１〜第３温度センサ６０，６２，６４からの検知信号が送給される。このコントローラ１２４はリモコン１３８により制御され、リモコン１３８は、浴室暖房器の運転、運転停止を行う運転ボタン１４０、ミストサウナの噴霧温度を設定するミスト温度設定手段１４２及び浴室の温度を設定する浴室温度設定手段１４４を有している。
【００３０】
この浴室暖房機は、ミストサウナ運転のときには、次の通りに運転される。まず、図２、図４及び図５を参照して、循環式熱源機７２を接続した場合におけるミストサウナ運転について説明する。リモコン１３８を操作してミストサウナ運転を設定して稼働すると、温水生成器（この場合、循環式熱源機７２）が作動し（燃焼バーナ７４が燃焼し、送給ポンプ８０が作動し、開閉弁１０２が開状態となる）（ステップＳ１）、ミスト制御弁５４が開状態となり（ステップＳ２）、熱源機７２にて生成された温水が供給接続流路９８を通して暖房機本体２に供給され、かく供給された温水は温水供給通路８、加熱送給流路２２、加熱流出流路２６及び温水戻り流路１０を通り、更に戻り接続流路１００を通して熱源機７２に戻り、このようにして暖房機本体２を通して循環される。
【００３１】
そして、運転開始から所定期間（例えば、１分）が経過する（即ち、タイマ手段１３４がタイムアップする）と、ステップＳ３からステップＳ４に進み、第１温度センサ６０の検知温度が所定設定温度（例えば、４０℃）以上かの判断が行われる。循環式熱源機７２を接続した場合、循環式熱源機７２からの温水が暖房機本体２を通して循環されるので、温水供給流路８を流れる温水の温度が上昇し、第１温度センサ６０の検知温度も上昇し、運転開始より設定時間経過すると、温水供給流路８を流れる温水の温度が設定温度を超えるようになる。この実施形態では、この所定時間経過すると、温度比較手段１２８は、記憶手段１３６に登録された設定温度（例えば、４０℃）と第１温度センサ６０の検知温度とを比較し、第１温度センサ６０の検知温度が設定温度以上であると温水が循環されているとして、温水生成器判定手段１３０は、接続されている温水生成器が循環式熱源機７２であると判定し（ステップＳ５）、弁切換信号生成手段１３２は、循環式熱源機７２が接続されているとの判定結果に基づいて第１の制御信号を生成し、作動制御手段１２６はこの第１の制御信号に基づいて第１〜第４流路切換弁４４，４６，４８，５０を第１の制御状態に保持する（ステップＳ６）。
【００３２】
この第１の制御状態では、図２に示すように、第１流路切換弁４４はミスト流出流路３４を連通し、第２流路切換弁４６は暖房流入流路１４を連通し、第３流路切換弁４８は暖房流出流路１８を連通し、また第４流路切換弁５０はミスト流出流路３４を連通する。
【００３３】
その後、給水弁５２及びミスト弁５６が開状態となり（ステップＳ７）、ミストサウナ運転状態となり、ミスト噴霧器３６から浴室内にミストの噴霧が行われ（ステップＳ８）、運転終了までこのミストサウナ運転状態が行われる。
【００３４】
このミストサウナ運転状態においては、循環式熱源機７２から温水送給流路８に送給された温水の一部は、暖房流入流路１４を通して暖房用熱交換器４に送給され、暖房用熱交換器４を流れた後に暖房流出流路１８を通して温水戻り流路１０に戻り、またこの温水の残部は、加熱流入流路２２を通してミスト用熱交換器６に送給され、ミスト用熱交換器６を流れた後に温水戻り流路１０に戻り、このように温水戻り流路１０に流れた温水が循環式熱源機７２に戻される。また、ミスト流入流路３０を通して水道水の如き水がミスト用熱交換器６に送給される。
【００３５】
暖房用熱交換器４においては、暖房用熱交換器４を流れる空気と循環式熱源機７２から送給される温水との間で熱交換が行われ、熱交換により加温された温風が浴室内に吹き出され、温風による暖房が行われる。またミスト用熱交換器６においては、ミスト流入流路３０からの水と循環式熱源機７２から送給される温水との間で熱交換が行われ、熱交換により加熱された温水（ミスト用温水）がミスト流出流路３４を通してミスト噴霧器３６に送給され、このミスト噴霧器３６から浴室内にミスト状に噴霧される。従って、このミストサウナ運転状態においては、浴室内を暖房しながらミストの噴霧が行われるので、所望のミストサウナ効果が得られる。尚、排水弁５８は比例弁から構成され、ミスト流出流路３４を流れる余剰の温水は、排水流路４２を通して排水される。
【００３６】
次に図３〜図５を参照して、給湯器７３を接続した場合におけるミストサウナ運転について説明する。リモコン１３８を操作してミストサウナ運転を設定して稼働すると、温水生成器（この場合、給湯器７３）が作動し（燃焼バーナ１０４が燃焼可能状態となり、開閉弁１１６ａが開状態となる）（ステップＳ１）、ミスト制御弁５４が開状態となる（ステップＳ２）。給湯器７３では水が流れたときに燃焼バーナ１０４が燃焼して温水が生成されるが、この時点では給水弁５２が閉状態に保持されているので、燃焼バーナ１０４が燃焼することはない。
【００３７】
そして、上述したと同様に、運転開始から所定期間（例えば、１分）が経過すると、ステップＳ３からステップＳ４に進み、第１温度センサ６０の検知温度が所定設定温度（例えば、４０℃）以上かの判断が行われる。給湯器７３を接続した場合、暖房機本体２の温水送給流路８を通して温水が流れることはなく、第１温度センサ６０の検知温度は上昇することなく、運転開始より設定時間経過しても第１温度センサ６０の検知温度が設定温度を超えることはない。この実施形態では、この所定時間経過すると、温度比較手段１２８は、記憶手段１３６に登録された設定温度（例えば、４０℃）と第１温度センサ６０の検知温度とを比較し、第１温度センサ６０の検知温度が設定温度より低いと温水が温水送給流路８を通して循環されていないとして、温水生成器判定手段１３０は、接続されている温水生成器が給湯器７３であると判定し（ステップＳ１０）、弁切換信号生成手段１３２は、給湯器７３が接続されているとの判定結果に基づいて第２の制御信号を生成し、作動制御手段１２６はこの第２の制御信号に基づいて第１〜第４流路切換弁４４，４６，４８，５０を第２の制御状態に保持する（ステップＳ１１）。
【００３８】
この第２の制御状態では、図３に示すように、第１流路切換弁４４はミスト流出流路３４と流入接続流路３８とを連通し、第２流路切換弁４６は流入接続流路３８と暖房流入流路１４とを連通し、第３流路切換弁４８は暖房流出流路１８と流出接続流路４０とを連通し、また第４流路切換弁５０は流出接続流路４０とミスト流出流路３４とを連通する。
【００３９】
その後、給水弁５２及びミスト弁５６が開状態となり（ステップＳ１２）、水が流れることによって給湯器７３の燃焼バーナ１０４が燃焼して温水が生成され、給湯器７３からの温水がミスト流入流路３０に送給されてミストサウナ運転状態となり、ミスト噴霧器３６から浴室内にミストの噴霧が行われ（ステップＳ１３）、運転終了までこのミストサウナ運転状態が行われる。
【００４０】
このミストサウナ運転状態においては、給湯器７３からの温水がミスト流入流路３０、ミスト用熱交換器６、ミスト流出流路３４、流入接続流路３８及び暖房流入流路１４を通して暖房用熱交換器４に送給され、暖房用熱交換器４を流れた後に暖房流出流路１８、流出接続流路４０及びミスト流出流路３４を通してミスト噴霧器３６に送給される。従って、暖房用熱交換器４においては、暖房用熱交換器４を流れる空気と給湯器７３から送給される温水との間で熱交換が行われ、熱交換により加温された温風が浴室内に吹き出され、温風による暖房が行われる。また、熱交換後の温水がミスト噴霧器３６に送給され、このミスト噴霧器３６から浴室内にミスト状に噴霧され、給湯器７３を接続した場合においても、浴室内を暖房しながらミストの噴霧が行われ、循環式熱源機７２を接続した場合と同様に所望のミストサウナ効果が得られる。尚、給湯器７３から送給される余剰の温水は、排水流路４２を通して排水される。
【００４１】
上述した実施形態では、接続されている温水生成器の種別の判別（即ち、循環式熱源機７２か給湯器７３かの判別）を運転開始毎に行っているが、このような温水生成器の種別の判定は運転開始毎に行う必要はなく、一度行った判別結果を例えばコントローラ１２４の記憶手段１３６に登録し、この登録結果を利用して上述した制御を行うようにしてもよい。このような場合、例えば温水生成器（循環式熱源機７２、給湯器７３）の入電操作後の最初の運転において温水生成器の種別判別を行うようにすることができ、この判別結果を記憶手段１３６に登録するとともに、リモコン１３８に表示するようにするのが望ましい。
【００４２】
上述した実施形態では、浴室暖房器によるミストサウナ運転について説明したが、このようなミストサウナ運転に加えて涼風運転を加えるようにしてもよい。給湯器７３を接続した場合における涼風運転においては、第１〜第４流路切換弁４４，４６，４８，５０を上述した第２の制御状態に保持するとともに、ミスト弁５６を閉状態に、また排水弁５８を開状態に保持し、更に給湯器７３から供給される温水の温度を低くなるようにすればよく、このようにすることによって、給湯器７３からの低い温度の温水が暖房用熱交換器４を通して流れた後に排水流路４２を通して排水され、暖房用熱交換器４での低い温水との熱交換によって涼風（例えば、２５℃程度の空気）が得られ、この涼風が浴室内に吹き出される。例えば、ミストサウナ運転後に涼風運転を行うことによって、ミストサウナ運転後に暖まった体を適度に冷やしてさっぱり感を得ることができる。
【００４３】
この涼風運転は、循環式熱源機７２を接続した場合にも行うことができ、循環式熱源機７２を接続した場合における涼風運転においては、図６に示すように、第１〜第４流路切換弁４４，４６，４８，５０を上述した第２の制御状態に保持しするとともに、ミスト弁５６を閉状態に、また排水弁５８を開状態に保持し、このような状態において循環式熱源機７２の作動を停止し（即ち、温水の循環を停止する）、ミスト流入流路３０を通して水を送給すればよく、このようにすることによって、ミスト流入流路３０を通して供給される水が暖房用熱交換器４を通して流れた後に排水流路４２を通して排水され、暖房用熱交換器４での水との熱交換によって涼風が得られ、この涼風が浴室内に吹き出され、上述したと同様に、ミストサウナ運転後に暖まった体を適度に冷やしてさっぱり感を得ることができる。
【００４４】
上述した涼風運転は、ミストサウナ運転後に自動的に行うようにモード設定するようにしてもよいが、使用者の選択により手動でもって選択するようにしてもよい。
以上、本発明に従う浴室暖房機の一実施形態について説明したが、本発明はかかる実施形態に限定されるものではなく、本発明の範囲を逸脱することなく、種々の変更乃至修正が可能である。
【００４５】
例えば、上述した実施形態においては、第１〜第４流路切換弁４４，４６，４８，５０を三方弁から構成しているが、これら三方弁に代えて、二つの開閉弁から構成するようにしてもよく、このように構成しても上述したと同様に温水を所要の通りに送給することができる。
【図面の簡単な説明】
【００４６】
【図１】本発明に従うミストサウナ機能付き浴室暖房機の一実施形態を示す簡略図。
【図２】図１の浴室暖房機に循環式熱源機を接続した状態を示す図。
【図３】図１の浴室暖房機に給湯器を接続した状態を示す図。
【図４】図１の浴室暖房機の制御系を示すブロック図。
【図５】図１の浴室暖房機の制御系を示すフローチャート。
【図６】図１の浴室暖房器に循環式熱源機を接続した場合における涼風運転を説明するための図。
【符号の説明】
【００４７】
２  暖房機本体
４  暖房用熱交換器
６  ミスト用熱交換器
８  温水送給流路
１０  温水戻り流路
１４  暖房流入流路
１８  暖房流出流路
２２  加熱流入流路
２６  加熱流出流路
３０  ミスト流入流路
３４  ミスト流出流路
３８  流入接続流路
４０  流出接続流路
４２  排水流路
４４，４６，４８，５０  流路切換弁
５２  給水弁
５４  ミスト制御弁
５６  ミスト弁
５８  排水弁
７２  循環式熱源機
７３  給湯器
１２４  コントローラ
１３０  温水生成器判定手段
１３２  弁切換信号生成手段
【図１】
0005094490.tif 000002
【図２】
0005094490.tif 000003
【図３】
0005094490.tif 000004
【図４】
0005094490.tif 000005
【図５】
0005094490.tif 000006
【図６】
0005094490.tif 000007